(57)【要約】【課題】より適切に運転者の交通規制情報を表示することができる車両情報制御装置を提供すること。【解決手段】本発明による車両情報制御装置１は、降雨量が所定量以上であることを判定する判定手段２ｂと、降雨量が所定量以上である場合に、記憶手段３から前記交通規制情報を取得する取得手段２ｃを備えることを特徴とする。【選択図】図４
2009009245.tif 000002
【特許請求の範囲】
【請求項１】
降雨量が所定量以上であることを判定する判定手段と、前記降雨量が所定量以上である場合に、記憶手段から前記交通規制情報を取得する取得手段を備えることを特徴とする車両情報制御装置。
【請求項２】
前記判定手段が、車両のワイパー装置のワイパー速度又は雨滴感知センサの出力値に基づいて前記判定を行うことを特徴とする請求項１に記載の車両情報制御装置。
【請求項３】
前記判定手段と前記取得手段を複数の車両に備え、前記記憶手段を路側に備えるとともに、前記取得手段と前記記憶手段とを相互に接続する通信手段を備えることを特徴とする請求項１又は２に記載の車両情報制御装置。
【請求項４】
前記取得手段が所定時間内に所定回数前記交通規制情報を取得することを特徴とする請求項１〜３のいずれか一項に記載の車両情報制御装置。
【発明の詳細な説明】
【技術分野】
【０００１】
本発明は、乗用車、トラック、バス等の車両に適用して好適な運転者の車両情報制御装置に関する。
【背景技術】
【０００２】
一般に車両を運転している場合に、降雨時において運転者は運転時における不安を軽減するためより多くの情報を必要とする。そこで、車両においていずれかの手段により降雨を判定した場合に、路側のセンタから交通規制情報等を取得して運転者に提示して、運転者の降雨時の不安を軽減する車両情報制御装置が提案されている。
【特許文献１】特開２００６−２７９６７９号公報
【発明の開示】
【発明が解決しようとする課題】
【０００３】
ところが、このような車両情報制御装置においては、交通規制情報が必要となるのは降雨量が多い場合のみであるにもかかわらず、降雨時であると判定された場合に、常に交通規制情報を取得し運転者に表示するために、車両側と路側との間における通信量が増大してコスト増大と通信時間の増大を招いてしまうという問題があり、より適切に運転者に交通規制情報を表示することができていないという問題があった。
【０００４】
本発明は、上記問題に鑑み、より適切に運転者の交通規制情報を表示することができる車両情報制御装置を提供することを目的とする。
【課題を解決するための手段】
【０００５】
上記の問題を解決するため、本発明に係る車両情報制御装置は、
降雨量が所定量以上であることを判定する判定手段と、前記降雨量が所定量以上である場合に、記憶手段から前記交通規制情報を取得する取得手段を備えることを特徴とする。
【０００６】
なお、前記判定手段が、車両のワイパー装置のワイパー速度又は雨滴感知センサの出力値に基づいて前記判定を行うことを特徴とすることが好ましい。
【０００７】
これによれば、既存のシステムを用いて前記判定手段が、前記降雨量が所定量以上であるかどうかを判定することができる。
【０００８】
ここで、前記判定手段と前記取得手段を複数の車両に備え、前記記憶手段を路側に備えるとともに、前記取得手段と前記記憶手段とを相互に接続する通信手段を備えることを特徴とすることが好ましい。
【０００９】
これによれば、複数の車両において、車両側の前記判定手段により各車両において前記降雨量が所定量以上であることを判定した、各車両の取得手段が路側の記憶手段から前記通信手段を介して前記交通規制情報を取得することができ、当該交通規制情報を運転者に表示して、運転者の不安を軽減し、より適切に運転者に交通規制情報を提示することができる。
【００１０】
さらに、前記取得手段が所定時間内に所定回数前記交通規制情報を取得することを特徴とすることが好ましい。
【００１１】
これによれば、前記取得手段が前記所定時間内に所定回数だけ前記交通規制情報を取得するために、前記通信手段による不要な通信量を軽減することができる。さらに、前記降雨量が所定量以上であると前記判定手段が判定する場合のみに、前記取得手段が前記通信手段を介して前記記憶手段より前記交通規制情報を取得することにより、これによっても、前記通信手段による不要な通信量を軽減することができ、通信量の増大によるコスト増大と通信時間の増大を防止することができる。
【００１２】
加えて、前記所定量を豪雨と判定される数値とすれば、真に前記交通規制情報が必要な場合のみに前記交通規制情報を取得して、不要な通信量を軽減することができる。
【発明の効果】
【００１３】
本発明によれば、より適切に運転者の交通規制情報を表示することができる車両情報制御装置を提供することができる。
【発明を実施するための最良の形態】
【００１４】
以下、本発明を実施するための最良の形態について、添付図面を参照しながら説明する。
【００１５】
図１は、本発明に係わる車両情報制御装置の一実施形態を示す模式図である。車両情報制御装置１は、複数の車両に備えられた、車両情報制御ＥＣＵ（Electronic  Control  Unit）２と、路側の情報センタに備えられたサーバ３と、基地局４とを備えて構成される。車両情報制御ＥＣＵ２と、サーバ３とは、ネットワークを介して接続される。
【００１６】
このネットワークは、例えば、携帯電話網、ＰＨＳ（Personal  Handy-phone  System）網、無線ＬＡＮ網、ＷｉＭＡＸ（Worldwide  Interoperability  for  Microwave  Access）網、衛星電話、ビーコン等の無線にて構成されて、通信手段を構成するものである。
【００１７】
なお、車両情報制御ＥＣＵ２とサーバ３の通信を実現するネットワークは、ＰＰＰプロトコル（Point  to  Point  Protocol）に従うものでありＰＰＰプロトコルによりこれらの間でデータリンクを確立し、上位層であるＴＣＰ／ＩＰプロトコル（Transmission  Control  Protocol/Internet  Protocol）、ＴＣＰ／ＩＰと上位互換であるＨＴＴＰ（Hyper  Text  Transfer  Protocol）やＦＴＰ（File  Transfer  Protocol）を実現して、データの送受信を可能とするものである。
【００１８】
次に情報センタのサーバ３について図を用いて詳細に説明する。図２は、本発明に係わる車両情報制御装置１の一部をなす路側の情報センタのサーバ３を示す模式図である。
【００１９】
図２に示すように、サーバ３はそれぞれバスで相互に接続されているＣＰＵ７１、主記憶装置７２、ＨＤＤなどの記憶装置７３、表示装置７４、入力装置７５、ドライブ装置７６及び通信装置７７を備えて、記憶手段を構成する。
【００２０】
ＣＰＵ７１は、ＯＳやアプリケーションなどのプログラムを記憶装置７３から読み込んで実行することで種々の機能を提供すると共に、サーバ３が行う処理を統括的に制御するものである。主記憶装置７２はＲＡＭにより構成され、ＯＳやプログラム、データを一時保管する作業領域を構成する。記憶装置７３は、ＨＤＤやフラッシュメモリなど不揮発性メモリであり、ＯＳ、プログラム、ドライバ等のファイルを格納し記憶している。
【００２１】
表示装置７４は、ＣＰＵ７１が実行するプログラムに基づく画面情報を所定の解像度や色数等でディスプレイにより描画するものであって、このディスプレイは例えば、ＧＵＩ（Graphical  User  Interface）画面を形成し、操作に必要な各種ウィンドウやデータ等を表示するものである。
【００２２】
入力装置７５はキーボードやマウスなどで構成され、ユーザからの様々な操作指示をサーバ３に入力するために設けられるものである。さらに、ドライブ装置７６は、記憶媒体７８が挿入可能に構成されており、記憶媒体７８に記憶されたデータを読み取って主記憶装置７２等に送信するものである。通信装置７７は、前述したネットワークに接続するためのインターフェイスであり、例えばモデム、ＮＩＣ等で構成される。
【００２３】
このように構成されるサーバ３において、ＣＰＵ７１がプログラムを実行することで、サーバ３は、車両情報制御ＥＣＵ２から基地局４を介して送信された各車両からの交通規制情報を要求する要求指令を受信し、記憶装置７３に記憶されている交通規制情報を読み出す。
【００２４】
さらに、各車両の車両情報制御ＥＣＵ２から、各車両の位置に対応する交通規制情報を要求する要求指令が基地局４を介してサーバ３が受信した場合は、サーバ３は、各車両の位置に対応する交通規制情報を、要求指令を送信した車両情報制御ＥＣＵ２に基地局４を介して送信する。
【００２５】
次に車両情報制御ＥＣＵ２について図を用いて詳細に説明する。図３は、本発明に係わる車両情報制御装置１の一部をなす車両情報制御ＥＣＵ２の一実施態様を示す模式図である。
【００２６】
車両情報制御ＥＣＵ２には、ＧＰＳ（Global  Positioning  System：全地球測位システム）アンテナ５と、ＩＭＵ（イナーシャメジャメントユニット）６と、受信機７と、データベース８と、ディスプレイ９と、スピーカ１０と、タッチパネル１１が接続される。
【００２７】
さらに、車両情報制御ＥＣＵ２には、ＡＢＳ（Anti-lock  Brake  System）１２と、通信装置１３と、ワイパー制御ＥＣＵ１４と、ステアリングＥＣＵ１５がＣＡＮ（Controller  Area  Network）等の通信規格により接続される。
【００２８】
車両情報制御ＥＣＵ２は、例えばＣＰＵ、ＲＯＭ、ＲＡＭおよびそれらを相互に接続するデータバスから構成され、ＲＯＭに格納されたプログラムに従い、以下に述べるそれぞれの制御を行う探索手段２ａ、判定手段２ｂ、取得手段２ｃ、表示手段２ｄとして機能するものである。
【００２９】
通信装置１３は、車両情報制御ＥＣＵ２が前述したネットワークに接続して交通規制情報の要求指令と交通規制情報を、基地局４を介してサーバ３と送受信するためのインターフェイスであり、送信機及び受信機で構成される。
【００３０】
ワイパー制御ＥＣＵ１４は、例えばＣＰＵ、ＲＯＭ、ＲＡＭおよびそれらを相互に接続するデータバスから構成され、ＲＯＭに格納されたプログラムに従い、以下に述べるそれぞれの制御を行うものであって、図示しない雨滴感知センサにより雨滴を感知した場合にこれも図示しないワイパーを起動するとともに、車両情報制御ＥＣＵ２に対してワイパー速度と雨滴感知センサの出力値を送信するものである。なお、雨滴感知センサとは、車両のボンネット等に設けられて、雨滴による衝撃や静電気容量の変化を感知して降雨量を検出するものである。
【００３１】
ステアリングＥＣＵ１５は、例えばＣＰＵ、ＲＯＭ、ＲＡＭおよびそれらを相互に接続するデータバスから構成され、ＲＯＭに格納されたプログラムに従い、以下に述べるそれぞれの制御を行うものであって、運転者がステアリングホイールにより入力した操作力と、ステアリングセンサにより検出した操舵角に基づいて、ここでは図示しないパワーステアリング装置の操舵角を制御するものである。
【００３２】
ＧＰＳアンテナ５は、地球上空に打ち上げられた複数の衛星の内三個の衛星からの電波を受信し、これらの電波をもとに、車両情報制御ＥＣＵ２の探索手段２ａは、例えば三角測量の原理で自車位置つまりは経度と緯度を測定する。なお、経度と緯度に加え高度も測定する場合には四個の衛星を用いる。
【００３３】
ここで、ＩＭＵ６は車両のヨーレートを検出するものである。データベース８はＣＤ−ＲＯＭやＤＶＤ−ＲＯＭ等の記憶媒体により構成され、表示用の地図情報と、探索用の地図情報を格納し記憶している。タッチパネル１１はユーザが目的地等の探索条件を入力する入力装置であり、ディスプレイ９は車両情報制御ＥＣＵ２の探索手段２ａが探索した自車位置を車両情報制御ＥＣＵ２の表示手段２ｄの指令に基づき表示用の地図情報とともに表示するものであって、このタッチパネル１１とディスプレイ９は一つのマルチインフォメーションディスプレイにより構成されている。
【００３４】
また、ＡＢＳ１２は制動時の車輪のロックを防止する装置であり、その制御に用いるための車速を図示しない車輪速センサから取得しており、車両情報制御ＥＣＵ２はその車速をＡＢＳ１２からＣＡＮ等の通信規格による送信により取得している。
【００３５】
さらに、受信機７は光あるいは電波ビーコンに準拠したものであり、ＶＩＣＳ（Vehicle  Information  &  Communication  System：道路交通情報システム）からの道路情報を受信する。
【００３６】
上述したＧＰＳアンテナ５を用いた車両情報制御ＥＣＵ２の探索手段２ａによる自車位置の測定は、衛星からの電波を利用する特性上、高層ビルの谷間に自車が位置する場合やトンネル内を自車が走行している場合、あるいは、高架橋の下を自車が走行している場合などでは衛星からの電波をＧＰＳアンテナ５が受信できないため、自車位置が測定できないという問題が生じる。
【００３７】
このため、ＧＰＳアンテナ５が衛星から電波を受信できない場合には、車両情報制御ＥＣＵ２の探索手段２ａは、ＡＢＳ１２が検出した車速とＩＭＵ６が検出したヨーレート、ステアリングＥＣＵ１５が検出した操舵角をもとにして、自車の移動距離と方向を計算して自車位置を測定する。これにより、ＧＰＳアンテナ５を用いた自車位置の測定と併せて、トータルの自車位置の測定の精度を高めている。
【００３８】
そして、車両情報制御ＥＣＵ２の判定手段２ｂは、ワイパー制御ＥＣＵ１４から受信したワイパー速度が所定速度以上である、又は、雨滴感知センサの出力値が所定値以上である場合に、降雨量が所定量以上であると判定する。
【００３９】
さらに、車両情報制御ＥＣＵ２の取得手段２ｃは、判定手段２ｂの判定に基づいて、交通規制情報を読み出す要求指令を自車両の位置とともに基地局４を介してサーバ３に送信する。サーバ３は車両情報制御ＥＣＵ２の取得手段２ｃから要求指令を受信すると、記憶装置７３に記憶されている交通規制情報を読み出すとともに、各車両の位置に対応する交通規制情報を、要求指令を送信した車両情報制御ＥＣＵ２に基地局４を介して送信する。
【００４０】
ここで車両情報制御ＥＣＵ２の取得手段２ｃは、要求指令をサーバ３に送信する際に送信フラグをオンとしてそのオン情報を管理して、一日につき一度のみ要求指令を送信するようにする。さらに、車両情報制御ＥＣＵ２の取得手段２ｃはサーバ３の送信した交通規制情報を受信して取得して、車両情報制御ＥＣＵ２の表示手段２ｄは、探索手段２ａの探索した自車位置とサーバ３から受信した交通規制情報をディスプレイ９により表示する。
【００４１】
以下に以上述べた車両情報制御ＥＣＵ２の制御内容を、フローチャートと図を用いて説明する。図４は、本発明に係わる車両情報制御装置１の制御内容を示すフローチャートである。
【００４２】
Ｓ１において、各車両の車両情報制御ＥＣＵ２の探索手段２ａは、上述した方法により自車両の位置を測定し、Ｓ２において、車両情報制御ＥＣＵ２の判定手段２ｂは、ワイパー制御ＥＣＵ１４からＣＡＮを介して、ワイパー速度と雨滴感知センサの出力値を受信して、Ｓ３において、車両情報制御ＥＣＵ２の判定手段２ｂは、ワイパー速度が所定速度以上であるか、又は、雨滴感知センサの出力値が所定値以上であるかどうかを判定し、肯定の場合は、Ｓ４にすすんで、車両情報制御ＥＣＵ２の判定手段２ｂは、降雨量が所定量以上であると判定し、否定の場合は制御を終了する。
【００４３】
つづいてＳ５において、車両情報制御ＥＣＵ２の取得手段２ｃは、判定手段２ｂの判定に基づいて、交通規制情報を読み出す要求指令を自車両の位置の情報とともに基地局４を介してサーバ３に送信する。これとともに、Ｓ６において車両情報制御ＥＣＵ２の取得手段２ｃは、送信フラグをオンとしオン情報を記憶して、要求指令を送信した同じ日には再度要求指令を送信しないようにする。
【００４４】
Ｓ７において、サーバ３は車両情報制御ＥＣＵ２の取得手段２ｃから基地局４を介して要求指令と自車両の位置を受信すると、Ｓ８において、サーバ３は、記憶装置７３に記憶されている交通規制情報を読み出すとともに、Ｓ９においてサーバ３は、各車両の位置に対応する交通規制情報を、要求指令を送信した車両情報制御ＥＣＵ２に基地局４を介して送信する。
【００４５】
さらに、Ｓ１０において、車両情報制御ＥＣＵ２の取得手段２ｃはサーバ３の送信した交通規制情報を受信して取得して、Ｓ１１において、車両情報制御ＥＣＵ２の表示手段２ｄは、探索手段２ａの探索した自車位置とサーバ３から受信した交通規制情報をディスプレイ９により表示する。
【００４６】
これらの制御内容により実現される本実施例の車両情報制御装置１によれば、以下のような作用効果を得ることができる。すなわち、車両情報制御ＥＣＵ２の取得手段２ｃが所定時間内に所定回数だけ、ここでは一日に一回だけ交通規制情報を取得するようにすることができるために、基地局４及び上述したネットワークにより構成される通信手段において、不要な通信量が増大することを防止して、コスト増大と通信時間の増大を防止することができる。
【００４７】
さらに、降雨量が所定量以上であると車両情報制御ＥＣＵ２の判定手段２ｂが判定する場合のみに、車両情報制御ＥＣＵ２の取得手段２ｃが基地局４及びネットワークにより構成される通信手段を介してサーバ３より交通規制情報を取得することにより、これによっても、基地局４及びネットワークにより構成される通信手段による不要な通信量を軽減して、コスト増大と通信時間の増大を防止することができる。
【００４８】
また、降雨量が所定量以上であるかどうかを、ワイパー制御ＥＣＵ１４の検出したワイパー速度が所定速度以上であるかどうか、又は、雨滴感知センサの出力値が所定値以上であるかを判定することにより、既存のシステムを用いて車両情報制御ＥＣＵ２の判定手段２ｂが、降雨量が所定量以上であるかどうかを判定することができる。
【００４９】
さらに、車両情報制御ＥＣＵ２の判定手段２ｂと取得手段２ｃを複数の車両に備え、記憶手段であるサーバ３を路側に備えるとともに、取得手段２ｃと記憶手段であるサーバ３とを相互に接続する、基地局４及びネットワークにより構成される通信手段を備えることにより、複数の車両において、車両側の車両情報制御ＥＣＵ２の判定手段２ｂにより各車両において降雨量が所定量以上であることを判定した、各車両の取得手段２ｃが路側の記憶手段であるサーバ３から基地局４及びネットワークより構成される通信手段を介して交通規制情報を取得して運転者に表示して、運転者の不安を軽減し、より適切に運転者に交通規制情報を提示することができる。
【００５０】
加えて、車両情報制御ＥＣＵ２の判定手段２ｂが判定に用いる所定量を豪雨と判定される数値とすれば、真に交通規制情報が必要な場合のみに取得手段２ｃ交通規制情報を取得して、不要な通信量を軽減することができる。
【００５１】
以上本発明の好ましい実施例について詳細に説明したが、本発明は上述した実施例に制限されることなく、本発明の範囲を逸脱することなく、上述した実施例に種々の変形および置換を加えることができる。
【００５２】
例えば、各車両の車両情報制御ＥＣＵ２の取得手段２ｃが基地局４及びネットワークを介してサーバ３に送信した、自車両の位置情報と交通規制情報を要求する要求指令を降雨情報としてサーバ３で集約して、地域気象観測システムであるアメダス（Automated  Meteorological  Data  Acquisition  System）の地域気象情報を修正又は補完するデータとして活用することもできる。
【００５３】
さらに、複数種類のネットワークに属するサーバ３により作成された降雨情報を、各サーバの記憶媒体７８を用いて集約して、降雨情報のデータベースを再構築して、再構築されたデータベースを再度各ネットワークに属するサーバ３に供給して、降雨情報のさらなる共有化を図ることもできる。
【００５４】
また、上述した実施例においては降雨量が所定量以上であることを判定するにあたり、ワイパー装置のワイパー速度が所定速度以上であることと、雨滴感知センサの出力値が所定値以上であることとをＯＲ条件として判定したが、これをＡＮＤ条件として判定することも、一方のみを使用して判定することももちろん可能である。
【００５５】
さらに、上述した実施例においては降雨量が所定量以上であることを判定するためのパラメータとして、ワイパー装置のワイパー速度を用いているが、実施例に示したようにＡＢＳ１２を搭載している車両においては、ＡＢＳ１２は降雨量が所定量以上である豪雨において動作することを利用して、ＡＢＳ動作信号を用いることもできる。
【００５６】
すなわち、各車両の車両情報制御ＥＣＵ２の判定手段２ｂが、ＡＢＳ１２からＣＡＮを介して、ＡＢＳ動作信号を受信して、各車両の車両情報制御ＥＣＵ２の判定手段２ｂは、ＡＢＳ動作信号がオンであるかどうかを判定し、肯定の場合は、車両情報制御ＥＣＵ２の判定手段２ｂは、降雨量が所定量以上であると判定する構成とすることも可能である。
【００５７】
この場合においても、情報センタのサーバ３は各車両の車両情報制御ＥＣＵ２の取得手段２ｃから交通規制情報を要求する要求指令を受信すると、交通規制情報を、ネットワークを介して各車両の車両情報制御ＥＣＵ２の取得手段２ｃに送信する。
【００５８】
また、上述した実施例においては、車両情報制御ＥＣＵ２の取得手段２ｃから基地局４及びネットワークを介してサーバ３が、交通規制情報を要求する要求指令を受信した場合に、交通規制情報のみをサーバ３が送信しているが、これに合わせて現在の車両の位置及び目的地及び目的地までの経路上の天気情報を送信することももちろん可能である。
【産業上の利用可能性】
【００５９】
本発明は、より適切に運転者に交通規制情報を表示することができる車両情報制御装置に関するものであり、比較的軽微な制御上の変更により、所望の効果を得ることができるので、乗用車、トラック、バス等の様々な車両に適用して有益なものである。
【図面の簡単な説明】
【００６０】
【図１】本発明に係る車両情報制御装置の一実施形態を示すブロック図である。
【図２】本発明に係る車両情報制御装置の一実施形態を示すブロック図である。
【図３】本発明に係る車両情報制御装置の一実施形態を示すブロック図である。
【図４】本発明に係る車両情報制御装置の一実施形態の制御内容を示すフローチャートである。
【符号の説明】
【００６１】
１      車両情報制御装置
２      車両情報制御ＥＣＵ
２ａ    探索手段
２ｂ    判定手段
２ｃ    取得手段
２ｄ    表示手段
３      サーバ
４      基地局
５      ＧＰＳアンテナ
６      ＩＭＵ
７      受信機
８      データベース
９      ディスプレイ
１０      スピーカ
１１      タッチパネル
１２      ＡＢＳ
１３      通信装置
１４      ワイパー制御ＥＣＵ
１５      ステアリングＥＣＵ
７１      ＣＰＵ
７２      主記憶装置
７３      記憶装置
７４      表示装置
７５      入力装置
７６      ドライブ装置
７７      通信装置
７８      記憶媒体
【図１】
2009009245.tif 000003
【図２】
2009009245.tif 000004
【図３】
2009009245.tif 000005
【図４】
2009009245.tif 000006